(57)【要約】【目的】    ボルト頭部で有って、接触する他の物体を傷付けず、盗難防止にもつながる物を作る。【構成】  頭部とネジ部が連結されたボルト頭部であって、該頭部に複数の半円球状の凹部を設けた事を特徴とするボルト頭部であり  複数の半円球状の凹部を設けた頭部自体が半円球状であるボルト頭部であり、該頭部が半円球状から成り、該頭部より小さな複数の半円球状の凹部を設けた事を特徴とするボルト頭部であり、  該頭部が半円球状から成り、該半円球状頭部の最大円周部が緩やかな局面を有し、該半円球状頭部上に複数の半円球状の凹部を設けた事を特徴とするボルト頭部てあり、  該頭部に２個から６個の半円球状の凹部を設けた事を特徴とするボルト頭部であり、  該頭部に複数の半円球状の凹部形状の寸法を任意に変化させる事を特徴とするボルト頭部である。【選択図】  図１
2006307948.tif 000002
【特許請求の範囲】
【請求項１】
頭部とネジ部が連結されたボルト頭部であって、該頭部に複数の半円球状の凹部を設けた事を特徴とするボルト頭部。
【請求項２】
頭部とネジ部が連結されたボルト頭部であって、複数の半円球状の凹部を設けた頭部自体が半円球状である事を特徴とする請求項１記載のボルト頭部。
【請求項３】
頭部とネジ部が連結されたボルト頭部であって、該頭部が半円球状から成り、該頭部より小さな複数の半円球状の凹部を設けた事を特徴とする請求項１又は請求項２記載のボルト頭部。
【請求項４】
頭部とネジ部が連結されたボルト頭部であって、該頭部が半円球状から成り、該半円球状頭部の最大円周部が緩やかな局面を有し、該半円球状頭部上に複数の半円球状の凹部を設けた事を特徴とする請求項１、請求項２又は請求項３記載のボルト頭部。
【請求項５】
頭部とネジ部が連結されたボルト頭部であって、該頭部に２個から６個の半円球状の凹部を設けた事を特徴とする請求項１、請求項２、請求項３又は請求項４記載のボルト頭部。
【請求項６】
頭部とネジ部が連結されたボルト頭部であって、該頭部に複数の半円球状の凹部形状の寸法を任意に微妙に変化させる事を特徴とする請求項１、請求項２、請求項３、請求項４又は請求項５記載のボルト頭部。
【請求項７】
頭部とネジ部が連結された頭部であって，該頭部の先端部分が平板状の円形からなり、該頭部に複数の半円球状の凹部を設けた事を特徴とするボルト頭部。
【発明の詳細な説明】
【技術分野】
【０００１】
ボルト・ナットの頭部の部分に関する。
【背景技術】
【０００２】
従来のボルトはマイナス・十字タイプのものは、回しにくく力が逃げる。締め上げ時に引っ掛かりを潰してしまい、締め・緩めが出来なく成る。本発明は芯を捕らえ回す事に円滑な尤も少ない２点、３点とし、力点を点・線で捕らえず、総てのの角にＲ面取りを施し面で捕らえるためつぶれにくく、回し易い設計と成っている。
【発明の開示】
【発明が解決しようとする課題】
【０００３】
力点をボルト頭のより外側に配置出来る為、締め付けトルクの向上が図れる。  ボルト頭表面は、総てＲ面取りされており、ボルト頭とドライバーは、密着する同一面の為、力が掛かりやすくボルト全体で締める事が出来る理想的な設計である。
ボルト高さ方向にストロークを稼げば、締め付け時ドライバー自立も可能となる。
ボルト頭少なくとも２点以上にわたり面形状の寸法を製品製造単位ごとに微妙に変化させる事で、盗難防止ボルトとする事も可能となる設計と成っている。
この意匠形態は、総てのボルトに利用可能である。
【課題を解決するための手段】
【０００４】
上記の課題を解決する為に、鋭意検討した結果、本発明に到達したもので、すなわち本発明は
頭部とネジ部が連結されたボルト頭部であって、該頭部にマイナスや＋タイプに代わりの複数の半円球状の凹部を設けた事を特徴とするボルト頭部であり、  頭部とネジ部が連結されたボルト頭部であって、頭部自体の円滑さを付与する為に、複数の半円球状の凹部を設けた頭部自体が半円球状である事を特徴とするボルト頭部であり、
頭部とネジ部が連結されたボルト頭部であって、該頭部が半円球状から成り、締め付ける際に、力が均等に掛かるように、該頭部より小さな複数の半円球状の凹部を設けた事を特徴とするボルト頭部であり、
頭部とネジ部が連結されたボルト頭部であって、該頭部が半円球状から成り、頭部のネジ部との接触端部である該半円球状頭部の最大円周部が緩やかな局面を有し、該半円球状頭部上に複数の半円球状の凹部を設けた事を特徴とするボルト頭部であり、
頭部とネジ部が連結されたボルト頭部であって、該頭部に形状の大小により、２個から６個の半円球状の凹部を設けた事を特徴とするボルト頭部であり、
頭部とネジ部が連結されたボルト頭部であって、盗難防止の為に、該頭部に複数の半円球状の凹部形状の寸法を任意に微妙に変化させる事を特徴とするボルト頭部であります。
本発明のボルト頭部は、半円球状が特徴でありますが、半円球状の上部分を削取して円形平板状にする形状も含まれる。
【発明の効果】
【０００５】
１）ボルト頭部の先端部がお碗型に成っているので、接触する他の機材を傷つけない。
２）ボルト頭部の複数個の凹部と嵌合する端部凸部対応部材（Ｅxtension Ｐarts）が円と半球の穏やかな関係であるので、嵌合する凹凸の部分は両者は傷付かない上に両部材共に摩耗しない。
3)ボルト頭部のボルト接触端部の半球最大周部にＲ加工して有るので、接触する他機材を傷つけない。  
４）嵌合する凹凸部材を相対じして任意に変化させる事で盗難防止ボルトとしても使用出来る。
【発明の実施をするための最良の形態】
【０００６】
頭部とネジ部が連結されたボルト頭部であって、該頭部は半円球状から成り、該頭部に回転の基盤と成る複数の頭部の半円球部より小さい半円球状の凹部を設けた事を特徴とするボルト頭部であり、詳述すれば、頭部とネジ部が連結されたボルト頭部であって、該頭部が半円球状から成り、該半円球状頭部の最大円周部が緩やかな局面を有し、該半円球状頭部上に複数の半円球状の凹部を設けた事を特徴とするボルト頭部であり、頭部とネジ部が連結されたボルト頭部であって、該頭部に２個から６個の半円球状の凹部を設けた事を特徴とするボルト頭部であり、頭部とネジ部が連結されたボルト頭部であって、該頭部に複数の半円球状の凹部形状の寸法を任意に微妙に変化させる事で盗難防止を防ぐ事を特徴とするボルト頭部で有ります。
【０００７】
本発明を図面に基づいて説明する事にする。図面１及び図３は本発明の安全ボルト頭部形状の斜視図であります。
頭部１とネジ部２が連結されたボルト頭部ＢＨにおいて、該頭部１に複数の半円球状の凹部１ａ（図１及び図３では３個）を設けたボルト頭部１であります。
本発明に於いては、頭部１とネジ部２が連結されたボルト頭部からなり、ボルト頭部ＢＨが接触する機材を傷付けないように、複数の半円球状の凹部１ａを設けた頭部自体が半円球状ＳＢである事を特徴としたボルト頭部ＢＨの構造に成っている。
【０００８】
図１於いては、頭部１とネジ部２が連結されたボルト頭部ＢＨ於いて、当然の事ながら、該頭部１が半円球状から成り、該頭部１より小さな複数の半円球状の凹部１ａを設ける。
本発明の頭部１とネジ部２が連結されたボルト頭部ＢＨに於いては、該頭部１は半円球状から成り、美的外観と他機材との摩擦傷を防ぐ意味から、該半円球状頭部の最大円周部１ｃが緩やかな局面にしてあり、該半円球状頭部ＳＢ上に複数の半円球状の凹部１ａを設けてある。
【０００９】
本発明の頭部１とネジ部２が連結されたボルト頭部おいては、該頭部１に設ける半円球状の凹部はボルト頭部ＢＨの大きさに応じて２個（図４参照）から６個の半円球状の凹部１ａを設けるものである。
盗難防止の立場から、本発明の頭部１とネジ部２が連結されたボルト頭部ＢＨおいては、該頭部１に複数の半円球状の凹部形状１ａの寸法を任意に微妙に変化させる事で可能と成る。
【００１０】
図２は、本発明のボルト頭部ＢＨ・半円球状頭部ＳＢのボルト締め延長部３の斜視図である。
図１のボルト頭部ＢＨの半円球状凹部１ａと嵌合する為に、凹部に対応して凸部を設けてある。又ボルト頭部ＢＨの下端部円周１ｃに対応してボルト締め円周端部３ｂを備えている。
尚本発明は図５のように半円球状の頂上を削取して平板４にした形状のものも含まれる。
【図面の簡単な説明】
【００１１】
【図１】図１はボルト頭部の斜視図である。
【図２】図２はボルト締め延長部の斜視図である。
【図３】図３は図１のボルト頭部の拡大斜視図である。
【図４】図４は本発明のボルト頭部凹部加工２個加工２個を示した斜視              図である。
【図５】図５は本発明のボルト頭部の頂上部を平板に削取したボルト頭              部の斜視図である。
【符号の説明】
【００１２】
１    頭部（Ｈｅａｄ・ヘッド）
１ａ  ボルト頭部の半円球凹部
１ｂ  ボルト頭部下端部
１ｃ  ボルト頭部の下端部円周
２    ボルトネジ部
３    ボルト締め延長部
３ａ  ボルト締結用半円球凸部
３ｂ  ボルト締め円周端部
４    ボルト頭部先端平坦部
ＢＨ  ボルト頭部
ＳＢ  半円球状頭部  
【図１】
2006307948.tif 000003
【図２】
2006307948.tif 000004
【図３】
2006307948.tif 000005
【図４】
2006307948.tif 000006
【図５】
2006307948.tif 000007